(57)【要約】【課題】拡大率が異なる複数の動画像を適切に切替えて再生する画像再生装置を得ること。【解決手段】画像再生装置１は、拡大率が異なる複数の動画像データから１つの動画像データを選択する選択手段２０と、選択手段２０で選択された動画像データに基づく動画像再生信号を生成する信号生成手段２０と、指示に応じた動画像データを選択するように選択手段２０を制御する制御手段２０とを備える。【選択図】図１
2010187112.tif 000002
【特許請求の範囲】
【請求項１】
拡大率が異なる複数の動画像データから１つの動画像データを選択する選択手段と、
前記選択手段で選択された動画像データに基づく動画像再生信号を生成する信号生成手段と、
指示に応じた動画像データを選択するように前記選択手段を制御する制御手段とを備えることを特徴とする画像再生装置。
【請求項２】
請求項１に記載の画像再生装置において、
前記制御手段は、あらかじめ設けられている情報であって再生開始時からの経過時間と再生すべき動画像データとの関係を示す情報に基づいて前記複数の動画像データから再生する動画像データを選択するように前記選択手段を制御することを特徴とする画像再生装置。
【請求項３】
請求項２に記載の画像再生装置において、
前記制御手段はさらに、あらかじめ設けられている情報であって再生開始時からの経過時間と低速再生すべき時間を示す情報に基づいて、通常の再生速度と該通常の再生速度より低速の再生速度とを切替えて前記動画像再生信号を生成するように前記信号生成手段を制御することを特徴とする画像再生装置。
【請求項４】
請求項３に記載の画像再生装置において、
前記再生開始時からの経過時間と再生すべき動画像データとの関係を示す情報、前記再生開始時からの経過時間と低速再生すべき時間を示す情報、および前記複数の動画像データは、１つのファイルに含まれることを特徴とする画像再生装置。
【請求項５】
請求項４に記載の画像再生装置において、
操作信号を発する操作部材をさらに備え、
前記再生開始時からの経過時間と再生すべき動画像データとの関係を示す情報を前記操作信号に応じて変更する情報変更手段をさらに備えることを特徴とする画像再生装置。
【請求項６】
請求項４に記載の画像再生装置において、
操作信号を発する操作部材をさらに備え、
前記再生開始時からの経過時間と低速再生すべき時間を示す情報を前記操作信号に応じて変更する情報変更手段をさらに備えることを特徴とする画像再生装置。
【請求項７】
請求項１に記載の画像再生装置において、
操作信号を発する操作部材をさらに備え、
前記信号生成手段はさらに、再生開始前に、前記複数の動画像データのそれぞれを代表する複数の静止画像データに基づいて該静止画像を並べて表示するための静止画像再生信号をさらに生成し、
前記制御手段は、前記信号生成手段が前記静止画像再生信号を生成中に前記操作部材から発せられた前記操作信号によって示される静止画像に対応する動画像データを前記複数の動画像データから選択するように前記選択手段を制御することを特徴とする画像再生装置。
【請求項８】
請求項７に記載の画像再生装置において、
前記複数の動画像データのそれぞれを代表する複数の静止画像データと、前記複数の動画像データとが１つのファイルに含まれることを特徴とする画像再生装置。
【発明の詳細な説明】
【技術分野】
【０００１】
本発明は、画像再生装置に関する。
【背景技術】
【０００２】
カメラで撮像された画像情報、および該画像情報の一部の範囲を電子ズーム拡大した画像情報のうち、いずれか一方の画像情報を選択して記録したり、いずれか一方の画像情報を選択して表示したりするビデオカメラが知られている（特許文献１参照）。
【先行技術文献】
【特許文献】
【０００３】
【特許文献１】特開２０００−２７０２５２号公報
【発明の概要】
【発明が解決しようとする課題】
【０００４】
従来技術では、記録した画像情報に基づいて画像を再生する場合、電子ズーム拡大された画像情報を再生中に画像全体を見たい場合は電子ズーム縮小操作を行わなければならず、電子ズーム拡大されていない画像情報を再生中に画像の一部を見たい場合は電子ズーム拡大操作を行わなければならず、電子ズームの変更操作が煩わしいという問題があった。
【課題を解決するための手段】
【０００５】
本発明による画像再生装置は、拡大率が異なる複数の動画像データから１つの動画像データを選択する選択手段と、選択手段で選択された動画像データに基づく動画像再生信号を生成する信号生成手段と、指示に応じた動画像データを選択するように選択手段を制御する制御手段とを備える。
【発明の効果】
【０００６】
本発明による画像再生装置では、拡大率が異なる複数の動画像を適切に切替えて再生できる。
【図面の簡単な説明】
【０００７】
【図１】本発明の一実施の形態による電子カメラの構成例を説明するブロック図である。
【図２】電子カメラの背面図である。
【図３】ライブビュー画像の表示画面を例示する図である。
【図４】撮像素子が取得する画像を例示する図である。
【図５】第１画像と第２画像とを交互に取得するタイミングを説明する図である。
【図６】２画像録画中の表示画面を例示する図である。
【図７】撮像素子が取得する画像を例示する図である。
【図８】第１画像〜第４画像を順番に取得するタイミングを説明する図である。
【図９】４画像録画中の表示画面を例示する図である。
【図１０】第２画像の表示例を示す図である。
【図１１】第１画像〜第４画像の表示例を示す図である。
【図１２】記憶媒体へ記録するファイル構造を説明する図である。
【図１３】タイムテーブル情報に基づくタイムテーブルを例示する図である。
【図１４】スロー再生情報に基づくタイムテーブルを例示する図である。
【図１５】再生画像信号を説明する図である。
【図１６】サムネイル画像の一覧表示を例示する図である。
【図１７】変形例１０の場合の録画中の表示画面を例示する図である。
【発明を実施するための形態】
【０００８】
以下、図面を参照して本発明を実施するための形態について説明する。図１は、本発明の一実施の形態による電子カメラ１の構成例を説明するブロック図である。図１において、電子カメラ１は、撮影光学系１１と、撮像素子１２と、ＡＦＥ(Analog front end)回路１３と、画像処理回路１４と、タイミングジェネレータ(TG)１５と、ＬＣＤモニタ１７と、バッファメモリ１８と、フラッシュメモリ１９と、ＣＰＵ２０と、メモリカードインターフェース(I/F)２１と、操作部材２２とを備える。
【０００９】
ＣＰＵ２０、バッファメモリ１８、フラッシュメモリ１９、メモリカードインターフェース２１、画像処理回路１４、およびＬＣＤモニタ１７は、それぞれがバス１６を介して接続されている。
【００１０】
撮影光学系１１は、ズームレンズやフォーカシングレンズを含む複数のレンズ群で構成され、被写体像を撮像素子１２の受光面に結像させる。なお、図１を簡単にするため、撮影光学系１１を単レンズとして図示している。
【００１１】
ＴＧ１５は、ＣＰＵ２０から送出される指示に応じて所定のタイミング信号を発生し、撮像素子１２、ＡＦＥ回路１３、画像処理回路１４へそれぞれのタイミング信号を供給する。タイミング信号によって撮像素子１２等が駆動制御されることにより、撮像素子１２による撮像タイミングや撮像素子１２からのアナログ画像信号の読み出しタイミングが制御される。
【００１２】
撮像素子１２は、受光素子が受光面に二次元配列されたＣＣＤイメージセンサ、またはＣＭＯＳイメージセンサなどによって構成される。撮像素子１２は、撮影光学系１１を通過した光束による被写体像を光電変換してアナログ画像信号を生成する。アナログ画像信号は、ＡＦＥ回路１３に入力される。
【００１３】
ＡＦＥ回路１３は、アナログ画像信号に対して相関二重サンプリングやゲイン調整などのアナログ処理を行うとともに、アナログ処理後の画像信号をデジタル画像データに変換する。デジタル画像データは画像処理回路１４に入力される。画像処理回路１４は、デジタル画像データに対して各種の画像処理（画素補間処理、階調変換処理、輪郭強調処理、ホワイトバランス調整処理、画像圧縮処理、画像伸張処理など）を施す。
【００１４】
ＬＣＤモニタ１７は液晶パネルによって構成され、ＣＰＵ２０からの指示に応じて画像や操作メニュー画面などを表示する。ＬＣＤモニタ１７の表示面上にはタッチ操作部材（不図示）が積層されている。タッチ操作部材は、ユーザーによってタッチ操作された場合に操作部材上（すなわち液晶モニタ１７の表示画面上）のタッチ位置を示す信号を発生し、ＣＰＵ２０へ送出する。
【００１５】
バッファメモリ１８は、画像処理回路１４によって画像処理される前、画像処理中、画像処理された後のデジタル画像データを一時的に記憶する。また、後述する２画像録画や４画像録画を行う場合にも、各画像データ（第１画像データ、第２画像データ…）をそれぞれ一時記憶するために十分な記憶容量が確保されている。フラッシュメモリ１９は、ＣＰＵ２０に実行させるプログラムを記憶する。
【００１６】
ＣＰＵ２０は、フラッシュメモリ１９が記憶するプログラムを実行することによって電子カメラ１が行う動作を制御する。ＣＰＵ２０は、ＡＦ（オートフォーカス）動作制御や、自動露出（ＡＥ）演算も行う。ＡＦ動作は、たとえば、スルー画像のコントラスト情報に基づいてフォーカシングレンズ（不図示）の合焦位置を求めるコントラスト検出方式を用いる。ライブビュー画像は、撮影指示前に撮像素子１２によって所定の時間間隔（たとえば３０フレーム／毎秒＝30fps）で繰り返し取得されるモニタ用画像のことをいう。ライブビュー画像はスルー画像とも呼ばれる。
【００１７】
メモリカードインターフェース２１はコネクタ（不図示）を有し、該コネクタにメモリカードなどの記憶媒体５１が接続される。メモリカードインターフェース２１は、接続された記憶媒体５１に対するデータの書き込みや、記憶媒体５１からのデータの読み込みを行う。記憶媒体５１は、半導体メモリを内蔵したメモリカード、またはハードディスクドライブなどで構成される。
【００１８】
操作部材２２は、後述するレリーズボタン２２ａ、録画スイッチ２２ｉ、ズームスイッチ２２ｂ  ２２ｃ、十字スイッチ２２ｇ、メニュースイッチ２２ｅなどを含む。操作部材２２は、ファンクション操作やメニュー選択操作など、各操作に応じた操作信号をＣＰＵ２０へ送出する。
【００１９】
図２は、電子カメラ１の背面図である。電子カメラ１の背面には、ＬＣＤモニタ１７と、ズームスイッチ２２ｂ（Ｔ）と、ズームスイッチ２２ｃ（Ｗ）と、ファンクション（Ｆ）スイッチ２２ｄと、録画スイッチ２２ｉと、メニュースイッチ２２ｅと、削除スイッチ２２ｆと、十字スイッチ２２ｇと、ＯＫスイッチ２２ｈとが設けられている。
【００２０】
電子カメラ１のＣＰＵ２０は、撮影モード時に上述したライブビュー画像をＬＣＤモニタ１７に表示させる。図３は、ライブビュー画像を表示するＬＣＤモニタ１７の表示画面を例示する図である。ライブビュー画像は、撮像素子１２が有する全画素のうち、間引き読み出しされた画素のデータに基づいて表示されたものである。したがって、撮像素子１２が有する画素数に比べてＬＣＤモニタ１７の表示画素数が少ない場合には、ライブビュー画像の精細度を低くするようにデータ読み出し時の間引き率が設定される。間引きは、単純間引き方式でも画素加算方式でもよい。撮像素子１２に３０fpsで撮像を行わせる場合、ライブビュー画像を３０fpsで表示させることができる。
【００２１】
ＣＰＵ２０は、ライブビュー画像を表示中にレリーズボタン２２ａから操作信号が入力された場合、静止画撮影処理を開始させて静止画像を取得する。静止画撮影では、通常、撮像素子１２が有する全画素から読み出した画素のデータに基づいて記録画像を生成する。なお、設定により、撮像素子１２が有する全画素のうち所定の間引き率で読み出した画素のデータに基づいて記録画像を生成すること、または、撮像素子１２が有する撮像領域のうち所定の領域から読み出した画素のデータに基づいて記録画像を生成することも可能に構成されている。
【００２２】
また、ＣＰＵ２０は、ライブビュー画像を表示中に録画スイッチ２２ｉから操作信号が入力された場合、動画撮影処理を開始させて動画像を取得する。動画撮影では、撮像素子１２が有する全画素のうち所定の間引き率で読み出した画素のデータに基づいて記録画像を生成するとともに、撮像素子１２が有する撮像領域のうち所定の領域から読み出した画素のデータに基づいて記録画像を生成する。つまり、動画撮影時に複数の動画像を取得する。撮像素子１２から画素のデータを読み出す領域は、後述する設定操作により変更可能に構成されている。
【００２３】
本実施形態は、動画像を取得する場合の動作に特徴を有するので、以下、動画像取得（録画）を中心に説明を行う。本説明では、２画像を取得する２画像録画と、４画像を取得する４画像録画を例に説明する。
【００２４】
−動画像記録−
＜２画像録画の場合＞
ＣＰＵ２０は、ライブビュー画像を表示中にＬＣＤモニタ１７上のタッチ操作部材（不図示）から操作信号が入力された場合、そのタッチ位置を示す表示枠３１をライブビュー画像の上に重ねて点滅表示（重畳表示）させる（図３）。本例では、表示枠３１のアスペクト比は、ＬＣＤモニタ１７の表示領域のアスペクト比と一致する。表示枠３１は、動画像取得（録画）時における第２画像の撮影範囲を表す。第２画像の詳細については後述する。
【００２５】
ＣＰＵ２０は、表示枠３１を点滅させている状態でＬＣＤモニタ１７上のタッチ操作部材（不図示）から操作信号が入力された場合、そのタッチ位置へ表示枠３１の中心位置を移動させる。また、ＣＰＵ２０は、ズームスイッチ２２ｃ（Ｗ）から操作信号が入力された場合は、点滅中の表示枠３１のサイズを操作回数に応じて大きくし、ズームスイッチ２２ｂ（Ｔ）から操作信号が入力された場合は、点滅中の表示枠３１のサイズを操作回数に応じて小さくする。ＣＰＵ２０は、ＯＫスイッチ２２ｈから操作信号が入力された場合、その時点の表示枠３１を点滅表示から点灯表示へ変更させる。
【００２６】
なお、点灯表示中の表示枠３１の表示位置がタッチ操作された場合のＣＰＵ２０は、表示枠３１を点灯表示から点滅表示へ変更させる。ＣＰＵ２０は、削除スイッチ２２ｆから操作信号が入力された場合に点滅状態の表示枠３１を消去させる。
【００２７】
ＣＰＵ２０は、録画スイッチ２２ｉから操作信号が入力された場合、動画像取得（録画）処理を開始させる。ＣＰＵ２０は、全画面画像と拡大画像とを時分割で取得させる。全画面画像（第１画像と呼ぶ）は、撮像素子１２の撮像領域の全域に対応する画像であり、拡大画像（第２画像と呼ぶ）は、撮像素子１２の撮像領域のうち表示枠３１に対応する領域に対応する画像である。
【００２８】
ＣＰＵ２０は、第２画像を取得する際に表示枠３１のサイズに応じて撮像素子１２から読み出された画素データの取り出し範囲（間引き率）を変更する。取得された第２画像の画素データは、第１画像の解像度と等しくなるよう、拡大処理が施される。
【００２９】
図４は、撮像素子１２が取得する画像を例示する図である。左から、第Ｎフレーム、第(Ｎ＋１)フレーム、第(Ｎ＋２)フレーム、第(Ｎ＋３)フレーム、第(Ｎ＋４)フレーム、第(Ｎ＋５)フレーム、…の順にフレーム画像が取得される。２画像録画では全画面画像（第１画像）と拡大画像（第２画像）とが交互に取得される。
【００３０】
図５は、第１画像と第２画像とを交互に取得するタイミングを説明するタイムチャートである。ＣＰＵ２０は、第Ｎフレームで第１画像の撮像（撮像信号読出し領域のセット、電荷蓄積、撮像信号読出し）およびＬＣＤモニタ１７への表示を１／６０秒で行わせ、次フレームである第(Ｎ＋１)フレームでは前フレームにおける表示を継続させ、さらに次フレーム(Ｎ＋２)において第１画像の撮像および表示を１／６０秒で行わせる。これにより、１／３０秒ごと、すなわち30fpsのフレームレートで第１画像を録画しながら、ＬＣＤモニタ１７の表示画面には取得した第１画像が表示される。
【００３１】
また、図５において、ＣＰＵ２０は第(Ｎ＋１)フレームで第２画像の撮像（撮像信号読出し領域のセット、電荷蓄積、撮像信号読出し）を１／６０秒以内で行わせ、１フレーム(Ｎ＋２)おいた次のフレーム(Ｎ＋３)で第２画像の撮像を１／６０秒以内で行う。これにより、30fpsのフレームレートにより上記第１画像を録画しながら、30fpsのフレームレートで第２画像も録画される。
【００３２】
図６は、２画像録画中のＬＣＤモニタ１７の表示画面を例示する図である。ＣＰＵ２０は、第１画像の撮像範囲を示す枠６２を表示させ（本例では太い実線）、第１画像を記録していることを表す。また、ＣＰＵ２０は、第２画像の撮像範囲を示す枠６１を枠６２と異なる態様（本例では太い破線）で表示させ、第２画像を記録していることを表す。
【００３３】
以上説明した２画像録画は、表示枠３１の設定（点灯表示させること）が行われた場合と、表示枠３１の設定が行われていない場合に行う。表示枠３１が設定されていない場合は、第２画像の録画をせずに、第２画像についてはヌルデータを記録したものとして取り扱う。
【００３４】
＜４画像録画の場合＞
ＣＰＵ２０は、ライブビュー画像に重ねて表示枠３１を点灯表示中に、さらにＬＣＤモニタ１７上のタッチ操作部材（不図示）から操作信号が入力された場合、そのタッチ位置を示す表示枠（不図示であるが、表示枠３２として説明する）をライブビュー画像の上に重ねて点滅表示（重畳表示）させる。本例において、表示枠３２のアスペクト比をＬＣＤモニタ１７の表示領域のアスペクト比と一致させている点は表示枠３１の場合と同様である。表示枠３２は、動画像取得（録画）時における第３画像の撮影範囲を表す。第３画像の詳細については後述する。
【００３５】
ＣＰＵ２０は、表示枠３２を点滅させている状態でＬＣＤモニタ１７上のタッチ操作部材（不図示）から操作信号が入力された場合、そのタッチ位置へ表示枠３２の中心位置を移動させる。また、ＣＰＵ２０は、ズームスイッチ２２ｃ（Ｗ）から操作信号が入力された場合は、点滅中の表示枠３２のサイズを操作回数に応じて大きくし、ズームスイッチ２２ｂ（Ｔ）から操作信号が入力された場合は、点滅中の表示枠３２のサイズを操作回数に応じて小さくする。ＣＰＵ２０は、ＯＫスイッチ２２ｈから操作信号が入力された場合、その時点の表示枠３２を点滅表示から点灯表示へ変更させる。
【００３６】
ＣＰＵ２０は、ライブビュー画像に重ねて表示枠３１および表示枠３２を点灯表示中に、さらにＬＣＤモニタ１７上のタッチ操作部材（不図示）から操作信号が入力された場合、そのタッチ位置を示す表示枠（不図示であるが、表示枠３３として説明する）をライブビュー画像の上に重ねて点滅表示（重畳表示）させる。表示枠３３のアスペクト比をＬＣＤモニタ１７の表示領域のアスペクト比と一致させる点も、表示枠３１、３２の場合と同様である。表示枠３３は、動画像取得（録画）時における第４画像の撮影範囲を表す。第４画像の詳細については後述する。
【００３７】
ＣＰＵ２０は、表示枠３３を点滅させている状態でＬＣＤモニタ１７上のタッチ操作部材（不図示）から操作信号が入力された場合、そのタッチ位置へ表示枠３３の中心位置を移動させる。また、ＣＰＵ２０は、ズームスイッチ２２ｃ（Ｗ）から操作信号が入力された場合は、点滅中の表示枠３３のサイズを操作回数に応じて大きくし、ズームスイッチ２２ｂ（Ｔ）から操作信号が入力された場合は、点滅中の表示枠３３のサイズを操作回数に応じて小さくする。ＣＰＵ２０は、ＯＫスイッチ２２ｈから操作信号が入力された場合、その時点の表示枠３３を点滅表示から点灯表示へ変更させる。
【００３８】
なお、点灯表示中の表示枠３１、３２、３３のいずれかの表示位置がタッチ操作された場合のＣＰＵ２０は、対応する表示枠を点灯表示から点滅表示へ変更させる。ＣＰＵ２０は、削除スイッチ２２ｆから操作信号が入力された場合には、点滅状態の表示枠を消去させる。
【００３９】
ＣＰＵ２０は、録画スイッチ２２ｉから操作信号が入力された場合、動画像取得（録画）処理を開始させる。ＣＰＵ２０は、全画面画像と３つの拡大画像とを時分割で取得させる。全画面画像（第１画像と呼ぶ）は、撮像素子１２の撮像領域の全域に対応する画像である。３つの拡大画像は、撮像素子１２の撮像領域のうち表示枠３１に対応する領域に対応する画像（第２画像と呼ぶ）と、表示枠３２に対応する領域に対応する画像（第３画像と呼ぶ）と、表示枠３３に対応する領域に対応する画像（第４画像と呼ぶ）である。
【００４０】
ＣＰＵ２０は、２画像録画の場合と同様に、表示枠３１、３２、３３のサイズが大きいほど撮像素子１２から画素データを読み出す際の間引き率を高くし、表示枠３１、３２、３３のサイズが小さいほど撮像素子１２から画素データを読み出す際の間引き率を低く設定する。
【００４１】
図７は、撮像素子１２が取得する画像を例示する図である。左から、第Ｍフレーム、第(Ｍ＋１)フレーム、第(Ｍ＋２)フレーム、第(Ｍ＋３)フレーム、第(Ｍ＋４)フレーム、第(Ｍ＋５)フレーム、…の順にフレーム画像が取得される。４画像録画では、全画面画像である第１画像、拡大画像である第２画像、第３画像および第４画像が、この順序で取得される。
【００４２】
図８は、第１画像〜第４画像を順番に取得するタイミングを説明するタイムチャートである。ＣＰＵ２０は、第Ｍフレームで第１画像の撮像（撮像信号読出し領域のセット、電荷蓄積、撮像信号読出し）およびＬＣＤモニタ１７への表示を１／１２０秒で行わせ、次の３フレーム(Ｍ＋１)〜(Ｍ＋３)では表示を継続させ、さらに次のフレーム（不図示であるが(Ｍ＋４)）において第１画像の撮像および表示を１／１２０秒で行わせる。これにより、１／３０秒ごと、すなわち30fpsのフレームレートで第１画像を録画しながら、ＬＣＤモニタ１７の表示画面には取得した第１画像が表示される。
【００４３】
図８において、ＣＰＵ２０は、第(Ｍ＋１)フレームで第２画像の撮像（撮像信号読出し領域のセット、電荷蓄積、撮像信号読出し）を１／１２０秒以内で行わせ、次の３フレーム(Ｍ＋２)〜(Ｍ＋４)をおいて、さらに次のフレーム（不図示であるが、(Ｍ＋５)）で第２画像の撮像を１／１２０秒以内で行う。これにより、30fpsのフレームレートにより上記第１画像を録画しながら、30fpsのフレームレートで第２画像も録画される。
【００４４】
また、ＣＰＵ２０は、第(Ｍ＋２)フレームで第３画像の撮像（撮像信号読出し領域のセット、電荷蓄積、撮像信号読出し）を１／１２０秒以内で行わせ、次の３フレーム(Ｍ＋３)〜(Ｍ＋５)をおいて、さらに次のフレーム（不図示であるが、(Ｍ＋６)）で第３画像の撮像を１／１２０秒以内で行う。これにより、30fpsのフレームレートにより上記第１画像を録画しながら、30fpsのフレームレートで第３画像も録画される。
【００４５】
さらにまた、ＣＰＵ２０は、第(Ｍ＋３)フレームで第４画像の撮像（撮像信号読出し領域のセット、電荷蓄積、撮像信号読出し）を１／１２０秒以内で行わせ、次の３フレーム(Ｍ＋４)〜(Ｍ＋６)をおいて、さらに次のフレーム（不図示であるが、(Ｍ＋７)）で第４画像の撮像を１／１２０秒以内で行う。これにより、30fpsのフレームレートにより上記第１画像を録画しながら、30fpsのフレームレートで第４画像も録画される。
【００４６】
図９は、４画像録画中のＬＣＤモニタ１７の表示画面を例示する図である。ＣＰＵ２０は、第１画像の撮像範囲を示す枠９４を表示させ（本例では太い実線）、第１画像を記録していることを表す。ＣＰＵ２０は、第２画像の撮像範囲を示す枠９１を枠９４と異なる態様（本例では太い破線）で表示させ、第２画像を記録していることを表す。また、ＣＰＵ２０は、第３画像の撮像範囲を示す枠９２、第４画像の撮像範囲を示す枠９３をさらに異なる態様（たとえば、太い破線で色が異なる）で表示させ、第３画像および第４画像を記録していることを表す。
【００４７】
以上説明した４画像録画は、表示枠９１〜９３の設定（点灯表示させること）が行われた場合と、表示枠９１〜９２の設定が行われた場合に行う。表示枠９３が設定されていない場合は、第４画像の録画をせずに、第４画像についてはヌルデータを記録したものとして取り扱う。
【００４８】
＜録画中の表示切替＞
録画中のＣＰＵ２０は、図６または図９に例示した画面をＬＣＤモニタ１７に表示中に表示枠６１、９１〜９３のいずれかの表示位置がタッチ操作された場合、タッチ操作された表示枠に対応する画像（第２画像〜第４画像のいずれか）をＬＣＤモニタ１７の画面に大きく表示させる。図１０は、図６の表示枠６１および図９の表示枠９１に対応する第２画像の表示例を示す図である。第２画像の撮像範囲を示す枠１０１（本例では太い実線）は、第２画像を記録していることを表す。
【００４９】
ＣＰＵ２０は、図１０に例示した画面をＬＣＤモニタ１７に表示させるため、図５のタイムチャートに代えて、第(Ｎ)フレームで第１画像の撮像（撮像信号読出し領域のセット、電荷蓄積、撮像信号読出し）を１／６０秒以内で行わせ、１フレームおいた次のフレーム(Ｎ＋２)で第１画像の撮像を１／６０秒以内で行う。
【００５０】
ＣＰＵ２０はさらに、第(Ｎ＋１)フレームで第２画像の撮像（撮像信号読出し領域のセット、電荷蓄積、撮像信号読出し）およびＬＣＤモニタ１７への表示を１／６０秒で行わせ、次フレームである第(Ｎ＋２)フレームでは表示を継続させ、さらに次フレーム(Ｎ＋３)において第２画像の撮像および表示を１／６０秒で行わせる。これにより、１／３０秒ごと、すなわち30fpsのフレームレートで第２画像を録画しながら、ＬＣＤモニタ１７の表示画面には取得した第２画像が表示される。
【００５１】
図１０に例示した画面をＬＣＤモニタ１７に表示中のＣＰＵ２０は、画面内のいずれかでダブルタッチ操作（たとえば、０．５秒以内に２回以上）された場合、図１０に例示する画面に代えて元の画面（図６または図９）をＬＣＤモニタ１７に表示させる。図１０に示す表示画面から図６に示す表示画面に戻す場合は、図５のタイムチャートに示す制御に戻せばよい。
【００５２】
また、図９に例示した画面をＬＣＤモニタ１７に表示中のＣＰＵ２０は、画面内のいずれかでダブルタッチ操作（たとえば、０．５秒以内に２回以上）された場合、図９に例示する画面に代えて図１１に例示する画面をＬＣＤモニタ１７に表示させる。図１１は、第１画像（左上）と、第２画像（右上）と、第３画像（左下）と、第４画像（右下）とを並べて表示する場合を例示する図である。
【００５３】
図１１に例示した画面をＬＣＤモニタ１７に表示中のＣＰＵ２０は、第１画像〜第４画像のいずれかの表示位置がタッチ操作された場合、対応する画像をＬＣＤモニタ１７の画面に大きく表示させる。すなわち、第１画像の表示位置がタッチ操作された場合は図９に例示した画面を、第２画像の表示位置がタッチ操作された場合は図１０に例示した画面を、それぞれＬＣＤモニタ１７に表示させる。第３画像の表示位置および第４画像の表示位置がタッチ操作された場合も、同様にそれぞれの画像をＬＣＤモニタ１７の画面に大きく表示させる。
【００５４】
ＣＰＵ２０が生成して記憶媒体５１へ記録する画像ファイルは、１ファイル内に複数の動画像データを含めたものである。このファイル構造は、図１２に例示するように、画像の付属情報を記録するタグ領域１２１と、各データを記録するデータ領域１２２とを有する。
【００５５】
ＣＰＵ２０は、ファイル全体のヘッダー部に、撮影条件、撮影日時、シーン数（２画像録画の場合は２、４画像録画の場合は４）、およびサムネイル画像情報を格納する。サムネイル画像情報は、第１画像〜第４画像の各動画像を代表するサムネイル画像（たとえば最初の１秒のデータから生成する）である。
【００５６】
ＣＰＵ２０は、シーンセレクト情報、タイムテーブル情報、スロー再生情報をタグとしてそれぞれ記録する。シーンセレクト情報は、録画時にＬＣＤモニタ１７の画面に表示していた画像を示す情報である。たとえば、最初の１秒から５番目の１秒まで第１画像を表示し、６番目の１秒から１０番目の１秒まで第３画像を表示し、１１番目の１秒からｎ番目の１秒まで第２画像を表示したことを示す。
【００５７】
タイムテーブル情報は、再生時にＬＣＤモニタ１７の画面に再生表示すべき画像を示す情報である。たとえば、最初の１秒から１０番目の１秒まで第１画像を再生表示し、１１番目の１秒から１５番目の１秒まで第２画像を再生表示し、１６番目の１秒からｎ番目の１秒まで第４画像を再生表示するということを示す。タイムテーブル情報のデフォルト値は、最初の１秒からｎ番目の１秒まで第１画像を再生表示するように設定されるが、後述する動画像再生用の編集操作により変更可能に構成されている。
【００５８】
スロー再生情報は、再生時にスロー再生すべき区間を示す情報である。たとえば、１２番目の１秒から１４番目の１秒までを、通常時の１／３倍の速度で再生することを示す。スロー再生情報のデフォルト値は、最初の１秒からｎ番目の１秒まで通常速度で再生表示するように設定されるが、後述する動画像再生用の編集操作により変更可能に構成されている。
【００５９】
ＣＰＵ２０は、マイク（不図示）で集音された音声信号を増幅し、増幅後の信号をデジタル音声データに変換し、所定のファイル化を施した音声ファイルを格納する。
【００６０】
動画ファイルは、所定時間（たとえば１秒）ごとに区切って該所定時間ごとのワンセットデータとして記録する。図１２によれば、最初の１秒分の第１画像、第２画像、第３画像、および第４画像をワンセットとして扱い、以降、次の１秒分の第１画像、第２画像、第３画像、および第４画像を同様にワンセットとして扱い、それぞれをワンセット画像データとして記録する。
【００６１】
上記２画像録画する場合、および４画像録画する場合のＡＥ（自動露出演算）、ＷＢ（ホワイトバランス処理）およびＡＦ処理は、通常、第１画像のデータに基づいて行う。なお、ＡＦ処理についてはズームエリアが存在する場合には該ズームエリアが存在する画像のデータに基づいて行うとよい。また、撮影用のメニュー設定操作によって指示された拡大画像のデータに基づいて行うようにしてもよい。
【００６２】
−動画像再生−
上述したように記録された画像ファイル（図１２）に基づいた動画像再生について、以下に説明する。図１３は、タイムテーブル情報に基づくタイムテーブルを例示する図である。図１３によれば、最初の１秒から１０番目の１秒まで第１画像を再生表示し、１１番目の１秒から１５番目の１秒まで第２画像を再生表示し、１６番目の１秒からｎ番目の１秒まで第４画像を再生表示するということを示す。タイムテーブル情報のデフォルト値は、最初の１秒からｎ番目の１秒まで第１画像を再生表示するように設定される。
【００６３】
図１４は、スロー再生情報に基づくタイムテーブルを例示する図である。図１４によれば、１２番目の１秒から１４番目の１秒までを、通常時の１／３倍の速度で再生し、他の区間を通常速度で再生表示することを示す。スロー再生情報のデフォルト値は、最初の１秒からｎ番目の１秒まで通常速度で再生表示するように設定される。
【００６４】
ＣＰＵ２０は、タイムテーブル情報およびスロー再生情報を用いて再生画像信号を生成する。図１５は、ＬＣＤモニタ１７に動画像を表示させる再生画像信号を説明する図である。図１５によれば、再生時間軸で最初の１秒から１０番目の１秒まで第１画像を通常速度で再生表示し、１１番目の１秒間に第２画像を通常速度で再生し、１２番目の１秒から２０番目の１秒まで第２画像をスロー再生速度で再生し、２１番目の１秒間に第２画像を通常速度で再生し、２２番目の１秒から(ｎ＋６)番目の１秒まで第４画像を通常速度で再生表示する。録画時間３秒間分の動画像を１／３の速度でスロー再生（９秒）するので、再生時間は録画時間より６秒長くなる。
【００６５】
動画像再生用の編集について説明する。ＣＰＵ２０は、メニュー操作によって複数のサムネイル表示が指示された場合、図１６に例示するようにサムネイル画像をＬＣＤモニタ１７に並べて表示させる。各サムネイル画像は、図１２に例示した動画像ファイル全体のヘッダー部に格納された情報に基づいて生成する。
【００６６】
図１６において画面左上は、第１画像〜第４画像が記録されている動画像ファイルの最初の１秒のデータに基づいて生成された第１画像〜第４画像についての代表画像である。また、図１６において画面右上は、第１画像〜第４画像が記録されている動画像ファイルの最初の１秒のデータに基づいて生成された第１画像〜第４画像についての代表画像である。
【００６７】
図１６において画面左下は、第１画像〜第２画像が記録されている動画像ファイルの最初の１秒のデータに基づいて生成された第１画像〜第２画像についての代表画像である。２画像録画において、表示枠３１が設定されていないことによって第２画像がヌルデータとして取り扱われる場合は、図１６における左下画面のように、第１画像についての代表画像のみを表示させる。
【００６８】
図１６において画面右下は、第１画像〜第４画像が記録されている動画像ファイルの最初の１秒のデータに基づいて生成された第１画像〜第４画像についての代表画像である。ＣＰＵ２０は、十字スイッチ２２ｇの左右方向への操作を示す操作信号が入力された場合は、ＬＣＤモニタ１７に表示されていない他の動画像ファイルを代表するサムネイル画像を表示させる。表示中のサムネイル画像（の表示位置）がタッチ操作された場合のＣＰＵ２０は、対応する動画像ファイルの再生表示動作を開始させる。ＬＣＤモニタ１７に表示する画像および再生速度は、図１５に例示した再生画像信号に従う。
【００６９】
＜動画像再生用の編集＞  
第１画像〜第４画像のうちいずれかの画像（たとえば、図１０と同様のもの）を再生表示中のＣＰＵ２０は、画面内のいずれかでダブルタッチ操作（たとえば、０．５秒以内に２回以上）された場合、表示中の画面に代えて、図１１と同様の画面をＬＣＤモニタ１７に表示させる。図１１は、第１画像（左上）と、第２画像（右上）と、第３画像（左下）と、第４画像（右下）とを並べて表示する図である。なお、再生表示中は図１０、図１１に例示したような太線表示は省略する。
【００７０】
図１１と同様の画面をＬＣＤモニタ１７に表示中のＣＰＵ２０は、第１画像〜第４画像のいずれかの表示位置がタッチ操作された場合、対応する画像をＬＣＤモニタ１７の画面に大きく表示させる。すなわち、第１画像の表示位置がタッチ操作された場合は図９と同様の画面を、第２画像の表示位置がタッチ操作された場合は図１０と同様画面を、それぞれＬＣＤモニタ１７に表示させる。第３画像の表示位置および第４画像の表示位置がタッチ操作された場合も、同様にそれぞれの画像をＬＣＤモニタ１７の画面に大きく表示させる。なお、再生表示中は図９、図１０に例示したような太線表示は省略する。
【００７１】
ＣＰＵ２０はさらに、動画像再生中にファンクション（Ｆ）スイッチ２２ｄから操作信号が入力された場合、再生速度を１／３のスロー再生に切り替える。ＣＰＵ２０は、スロー再生中にファンクション（Ｆ）スイッチ２２ｄから操作信号が入力された場合、再生速度をスロー再生から通常再生速度に切り替える。
【００７２】
ＣＰＵ２０は、動画像ファイルの再生表示を終了する場合、最後の１秒（すなわちｎ番目の１秒）に基づく画像の表示を継続し、以下のメッセージを重畳表示させる。たとえば、「再生情報を更新しますか？」というメッセージを表示させている状態で、ＯＫスイッチ２２ｈから操作信号を受けた場合は、タイムテーブル情報およびスロー再生情報を、それぞれ再生表示開始時点の内容から再生表示中に設定操作された内容に更新し、再生表示した動画像ファイル（図１２）のタグを書き替える。
【００７３】
タグの書き替えを行うことにより、次回の動画像再生時には、タグ内容に沿った画像をタグ内容に沿った再生速度で再生させることができる。なお、「再生情報を更新しますか？」というメッセージを表示させている状態で、ＯＫスイッチ２２ｈから操作信号を受けない場合は、タイムテーブル情報およびスロー再生情報の更新を行わず、再生表示開始時点のタグ情報を維持させる。
【００７４】
以上説明した実施形態によれば、次の作用効果が得られる。
（１）電子カメラ１のＣＰＵ２０は、精細度が異なる複数の動画像データから１つの動画像データを選択し、選択された動画像データに基づく動画像再生信号を生成し、上記選択は、指示に応じた動画像データを選択するように制御したので、煩雑なズーム操作をすることなしに、精細度が異なる複数の動画像を適切に切替えて再生できる。
【００７５】
（２）ＣＰＵ２０は、あらかじめ設けられている情報であって再生開始時からの経過時間と再生すべき動画像データとの関係を示す情報（タイムテーブル情報）に基づいて複数の動画像データから再生する動画像データを選択するように制御したので、再生する動画像の精細度を自動的に切替えることができる。
【００７６】
（３）ＣＰＵ２０はさらに、あらかじめ設けられている情報であって再生開始時からの経過時間と低速再生すべき時間を示す情報（スロー再生情報）に基づいて、通常の再生速度と該通常の再生速度より低速の再生速度とを切替えて動画像再生信号を生成するように制御したので、再生速度を自動的に切替えることができる。
【００７７】
（４）再生開始時からの経過時間と再生すべき動画像データとの関係を示す情報、再生開始時からの経過時間と低速再生すべき時間を示す情報、および複数の動画像データは、１つのファイルに含まれるので、ファイル外の情報を参照することなく、動画像を適切に再生表示できる。
【００７８】
（５）ＣＰＵ２０はさらに、再生開始時からの経過時間と再生すべき動画像データとの関係を示す情報を操作信号に応じて変更するようにしたので、タイムテーブル情報を変更することができる。
【００７９】
（６）ＣＰＵ２０はさらに、再生開始時からの経過時間と低速再生すべき時間を示す情報を操作信号に応じて変更するようにしたので、スロー再生情報を変更することができる。
【００８０】
（７）ＣＰＵ２０はさらに、再生開始前に、複数の動画像データのそれぞれを代表する複数の静止画像データに基づいて該静止画像を並べて表示するための静止画像再生信号を生成し、この静止画像再生信号を生成中に操作部材から発せられた操作信号によって示される静止画像に対応する動画像データを複数の動画像データから選択するようにした。これにより、ユーザーは、任意の代表画像に対応する動画像を再生表示させることができる。
【００８１】
（８）複数の動画像データのそれぞれを代表する複数の静止画像データと、複数の動画像データとが１つのファイルに含まれるので、ファイル外の情報を参照することなく、複数の動画像データのそれぞれを代表する複数の静止画像データに基づいて該静止画像を並べて表示するための静止画像再生信号を生成できる。
【００８２】
（変形例１）
第２画像〜第４画像の撮影範囲を示す表示枠の大きさに制限を設けてもよい。たとえば、記録する動画像を構成する画素数よりも、表示枠に対応する範囲内に撮像素子１２が有する画素数が大きくなるように、該表示枠のサイズの可変範囲を制限する。これにより、表示枠のサイズを小さくする場合のサイズは、撮像素子１２から間引きなしで読み出される画素数と、動画像として記録される画素数とが等しくなる時点で制限される。
【００８３】
（変形例２）
上記変形例１のような表示枠のサイズ制限をなくして、記録する動画像を構成する画素数よりも表示枠に対応する範囲内に撮像素子１２が有する画素数が小さい場合には、撮像素子１２から間引きなしで読み出された画素のデータを補間することにより、動画像として記録するデータを生成する構成にしてもよい。
【００８４】
（変形例３）  
表示枠のアスペクト比（すなわち、第２画像〜第４画像のアスペクト比）は、ＬＣＤモニタ１７のアスペクト比と異ならせてもよい。この場合、ＬＣＤモニタ１７のアスペクト比と合致するように第２画像〜第４画像の上下または左右にモノトーン領域を付加することにより、動画像として記録するデータを生成する。
【００８５】
（変形例４）  
２画像録画と４画像録画との切替は、上述したように表示枠の設定状態に応じて自動切替してもよいし、設定メニュー操作内容に応じて切替るようにしてもよい。
【００８６】
（変形例５）  
２画像録画の場合の第２画像の撮影範囲を示す表示枠の設定操作（表示枠３１を点灯表示させること）、および４画像録画の場合の第２画像〜第４画像の撮影範囲を示す表示枠の設定操作（表示枠９１〜９３を点灯表示させること）の受け付けは、録画開始前に限らず、録画開始後の録画中にも行うようにしてもよい。
【００８７】
（変形例６）  
第２画像〜第４画像の撮影範囲を示す表示枠の位置、サイズは、設定操作された表示枠に対応する位置、大きさとする例を説明した。この代わりに、ライブビュー画像から主要被写体を検出して自動設定するようにしてもよい。たとえば、ライブビュー画像における人物の顔領域を検出し、この顔を含むように表示枠の位置およびサイズを自動的に決定する。なお、撮像素子１２からのデータ読み出し領域は、表示枠の位置およびサイズに応じて変化させることはいうまでもない。
【００８８】
（変形例７）  
第２画像〜第４画像の撮影範囲を示す表示枠の位置は、設定操作された位置のまま固定させておく例を説明したが、主要被写体を検出して追尾するようにしてもよい。たとえば、録画開始後も第１画像における人物の顔領域を検出し、この顔を含むように表示枠の位置を逐次決定し、決定した位置へ該表示枠を自動的に移動させる。なお、撮像素子１２からのデータ読み出し領域は、表示枠の位置に応じて変化させることはいうまでもない。
【００８９】
（変形例８）  
主要被写体として人物の顔領域を検出するだけでなく、あらかじめ登録されている人物の顔であるか否かを識別するようにしてもよい。たとえば、録画開始後も第１画像における人物の顔領域を検出し、この顔が登録された人物の顔であると判定した場合に当該顔を含むように表示枠の位置を逐次決定し、決定した位置へ該表示枠を自動的に移動させる。登録人物の顔情報は、あらかじめ撮影した上で参照用データとしてフラッシュメモリ１９に格納しておく。
【００９０】
（変形例９）
動画像再生時にＬＣＤモニタ１７に表示する画像および再生速度は、動画像ファイルのタグに記録されているタイムテーブル情報およびスロー再生情報に基づく再生画像信号（図１５）により決定する方式を説明した。この他に、動画像ファイルのタグに記録されているシーンセレクト情報に基づいて決定する方式を選択可能に構成してもよい。シーンセレクト情報に基づいて再生表示することにより、録画時にＬＣＤモニタ１７の画面に表示していた画像と同じものを、動画像再生時に表示させることができる。
【００９１】
（変形例１０）
２画像記録時に、第１画像の記録をしない（省略する）設定を可能にしてもよい。この場合のＣＰＵ２０は、第１画像の録画をしないので（ただし、撮像は行って表示に必要な画像データを読み出す）、第１画像についてはヌルデータを記録したものとして取り扱う。
【００９２】
図１７は、変形例１０の場合の録画中のＬＣＤモニタ１７の表示画面を例示する図である。ＣＰＵ２０は、第２画像の撮像範囲を示す枠６１を太い実線で表示させ、第２画像を記録していることを表す。図６の場合と異なり、第１画像の撮像範囲を示す枠の表示はない。
【００９３】
（変形例１１）
以上の説明では、拡大率が低い第１画像と、第１画像に比べて拡大された第２画像（４画像録画の場合はさらに第３画像、第４画像）とを時分割で取得するようにした。この代わりに、撮像素子１２の全撮像範囲から間引きなしで全画素データを読み出して、全画素データに基づく１つの動画像データと、第１画像と第２画像の撮像範囲を示す情報（４画像録画の場合はさらに第３画像と第４画像の撮像範囲を示す情報）とを画像ファイルに含めるようにしてもよい。
【００９４】
変形例１１の動画ファイルは、所定時間（たとえば１秒）ごとに区切って該所定時間ごとのデータとして記録する。具体的には、最初の１秒分の第１画像、次の１秒分の第１画像というように、１秒ごとの画像データとして記録する。
【００９５】
タグには、シーン範囲情報、タイムテーブル情報、スロー再生情報をそれぞれ記録する。シーン範囲情報は、録画時にＬＣＤモニタ１７の画面に表示していたシーン範囲（撮影範囲におけるシーン範囲の位置、大きさ）を示す情報である。たとえば、最初の１秒から５番目の１秒まで第１範囲（上述した実施形態の第１画像に相当）を表示し、６番目の１秒から１０番目の１秒まで第３範囲（上述した実施形態の第３画像に相当）を表示し、１１番目の１秒からｎ番目の１秒まで第２範囲（上述した実施形態の第２画像に相当）を表示したことを示す。
【００９６】
タイムテーブル情報は、再生時にＬＣＤモニタ１７の画面に再生表示すべきシーン範囲を示す情報である。たとえば、最初の１秒から１０番目の１秒まで第１範囲を再生表示し、１１番目の１秒から１５番目の１秒まで第２範囲を再生表示し、１６番目の１秒からｎ番目の１秒まで第４範囲を再生表示するということを示す。タイムテーブル情報のデフォルト値は、最初の１秒からｎ番目の１秒まで第１範囲を再生表示するように設定されるが、上記実施形態と同様に、動画像再生用の編集操作により変更可能に構成されている。
【００９７】
スロー再生情報は、再生時にスロー再生すべき区間を示す情報である。たとえば、１２番目の１秒から１４番目の１秒までを、通常時の１／３倍の速度で再生することを示す。スロー再生情報のデフォルト値は、最初の１秒からｎ番目の１秒まで通常速度で再生表示するように設定されるが、上記実施形態と同様に、動画像再生用の編集操作により変更可能に構成されている。
【００９８】
２画像〜第４画像の各シーン範囲に対応する表示用の再生画像信号は、撮像素子１２が有する全画素のうち、各シーン範囲に対応する画素のデータが間引き読み出しされ、生成される。シーン範囲が狭いほど間引き率が低く設定され、ＬＣＤモニタ１７に表示される画像の拡大率が高くなる。反対に、シーン範囲が広いほど間引き率が高く設定され、ＬＣＤモニタ１７に表示される画像の拡大率が低くなる。
【００９９】
以上の説明はあくまで一例であり、上記の実施形態の構成に何ら限定されるものではない。
【符号の説明】
【０１００】
１…電子カメラ
１２…撮像素子
１４…画像処理回路
１５…ＴＧ
１７…ＬＣＤモニタ
１８…バッファメモリ
１９…フラッシュメモリ
２０…ＣＰＵ
２２…操作部材
【図１】
2010187112.tif 000003
【図２】
2010187112.tif 000004
【図３】
2010187112.tif 000005
【図４】
2010187112.tif 000006
【図５】
2010187112.tif 000007
【図６】
2010187112.tif 000008
【図７】
2010187112.tif 000009
【図８】
2010187112.tif 000010
【図９】
2010187112.tif 000011
【図１０】
2010187112.tif 000012
【図１１】
2010187112.tif 000013
【図１２】
2010187112.tif 000014
【図１３】
2010187112.tif 000015
【図１４】
2010187112.tif 000016
【図１５】
2010187112.tif 000017
【図１６】
2010187112.tif 000018
【図１７】
2010187112.tif 000019